(57)【要約】【課題】  移動中でも、親局からの着信の有無を認識できる衛星通信システムおよび衛星通信地球局を提供することにある。【解決手段】  親局３００は、通信衛星４００を介して子局である衛星通信車載局２００との間で通信を行なう。衛星通信車載局２００は、移動可能である。衛星通信車載局２００は、移動中に、アンテナを常に通信衛星の方向に指向させる衛星追尾手段２０７と、移動中に、親局から送られて着信通知を受信する着信通知検出手段２０８とを備え、移動中の着信通知の受信を可能としている。【選択図】  図１
2006287348.tif 000002
【特許請求の範囲】
【請求項１】
通信衛星を介して子局との間で通信を行なう親局と、
前記通信衛星を介して前記親局との間で通信を行なうともに、移動可能な衛星通信車載局である前記子局とからなる衛星通信システムであって、
前記衛星通信車載局は、
移動中に、アンテナを常に通信衛星の方向に指向させる衛星追尾手段と、
移動中に、親局から送られて着信通知を受信する着信通知検出手段とを備え、移動中の着信通知の受信を可能としたことを特徴とする衛星通信システム。
【請求項２】
請求項１記載の衛星通信システムにおいて、
前記通信衛星として、Ｋｕ帯またはＫａ帯の静止通信衛星を利用することを特徴とする衛星通信システム。
【請求項３】
請求項１記載の衛星通信システムにおいて、
前記親局は、前記衛星通信車載局の運用状態を監視し、通信端末から前記衛星通信車載局に対しての着信要求を受信した際に、前記衛星通信車載局が移動中である場合には、前記衛星通信車載局に対して着信の発生を通知する着信通知を送出することを特徴とする衛星通信システム。
【請求項４】
請求項３記載の衛星通信システムにおいて、
前記親局は、前記衛星通信車載局に前記着信通知を送出する際に、発信元を識別するための識別情報を、前記衛星通信車載局に対して送出することを特徴とする衛星通信システム。
【請求項５】
請求項３または４記載の衛星通信システムにおいて、
前記親局は、前記衛星通信車載局に前記着信通知を送出する際に、発信元からの通信情報の重要性を識別するための識別情報を、前記衛星通信車載局に対して送出することを特徴とする衛星通信システム。
【請求項６】
通信衛星を介して親局との間で通信を行なうともに、移動可能な衛星通信車載局であって、
移動中に、アンテナを常に通信衛星の方向に指向させる衛星追尾手段と、
移動中に、親局から送られて着信通知を受信する着信通知検出手段とを備え、移動中の着信通知の受信を可能としたことを特徴とする衛星通信車載局。
【請求項７】
請求項６記載の衛星通信車載局において、
前記衛星通信車載局は、移動中は、送信機能を停止させることを特徴とする衛星通信車載局。
【請求項８】
請求項６記載の衛星通信車載局において、
前記着信通知検出手段が、移動中に前記親局から着信通知を検出すると、運用者に対して着信通知を受信したことを表示する表示手段を備えたことを特徴とする衛星通信車載局。
【請求項９】
請求項６記載の衛星通信車載局において、
前記着信通知検出手段が、移動中に前記親局から着信通知と発信元の識別情報を検出すると、運用者に対して着信通知を受信したことと、受信した識別情報の内容とを表示する表示手段を備えたことを特徴とする衛星通信車載局。
【請求項１０】
請求項６記載の衛星通信車載局において、
前記着信通知検出手段が、移動中に前記親局から着信通知と発信元からの通信情報の重要性を識別する識別情報を検出すると、運用者に対して着信通知を受信したことと、受信した識別情報の内容とを表示する表示手段を備えたことを特徴とする衛星通信車載局。
【請求項１１】
請求項６記載の衛星通信車載局において、
前記衛星通信車載局は、前記親局からの送信を許可する信号を受信した場合にのみ送信を開始することが可能であり、
前記親局から送信を許可する信号を受信することで自動的に送信を開始する動作モードと、
前記親局から送信を許可する信号を受信しても送信を開始しない動作モードとの、２種類の動作モードを有し、２種類の動作モードの切り替えが可能なことを特徴とする衛星通信車載局。
【発明の詳細な説明】
【技術分野】
【０００１】
本発明は、通信衛星を使用した、衛星通信システムおよび衛星通信地球局に係り、特に、車載で運用する場合に好適な衛星通信システムおよび衛星通信車載局に関する。
【背景技術】
【０００２】
従来の通信衛星を利用する子局を車両に搭載した衛星通信車載局では、移動中に運用を行なおうとすると、車両の方向や傾斜の変化によってアンテナ方向が通信衛星の方向からずれるため、通信衛星以外の方向に対して電波を送信する可能性がある。このため、従来の衛星通信車載局では、移動中は送信機能および受信機能を全て停止して、停車時にのみ運用を行なっていた。
【０００３】
また、Ｋｕ帯またはＫａ帯の周波数を利用する静止通信衛星を使用する通信システムでは、使用する静止通信衛星に隣接する他の静止通信衛星が多く、他の静止通信衛星へ影響を与えないために、移動中の衛星通信車載局はアンテナ方向のずれが許されないために、停車時にのみ運用を行っていた。
【０００４】
なお、アンテナを備えた衛星通信地球局の例としては、例えば、特開平７−５０６１０号公報に記載のものが知られている。
【０００５】
【特許文献１】特開平７−５０６１０号公報
【発明の開示】
【発明が解決しようとする課題】
【０００６】
すなわち、従来は、走行中に衛星通信車載局を運用することができないため、移動中に該衛星通信車載局に対して親局から着信要求があった場合でも、衛星通信車載局の運用者が衛星通信車載局への着信の発生の有無を認識することができないという問題があった。
【０００７】
本発明の目的は、移動中でも、親局からの着信の有無を認識できる衛星通信システムおよび衛星通信地球局を提供することにある。
【課題を解決するための手段】
【０００８】
（１）上記目的を達成するために、本発明は、通信衛星を介して子局との間で通信を行なう親局と、前記通信衛星を介して前記親局との間で通信を行なうともに、移動可能な衛星通信車載局である前記子局とからなる衛星通信システムであって、前記衛星通信車載局は、移動中に、アンテナを常に通信衛星の方向に指向させる衛星追尾手段と、移動中に、親局から送られて着信通知を受信する着信通知検出手段とを備え、移動中の着信通知の受信を可能としたものである。
【０００９】
（２）上記（１）において、好ましくは、前記通信衛星として、Ｋｕ帯またはＫａ帯の静止通信衛星を利用するものである。
【００１０】
（３）上記（１）において、好ましくは、前記親局は、前記衛星通信車載局の運用状態を監視し、通信端末から前記衛星通信車載局に対しての着信要求を受信した際に、前記衛星通信車載局が移動中である場合には、前記衛星通信車載局に対して着信の発生を通知する着信通知を送出するようにしたものである。
【００１１】
（４）上記（３）において、好ましくは、前記親局は、前記衛星通信車載局に前記着信通知を送出する際に、発信元を識別するための識別情報を、前記衛星通信車載局に対して送出するようにしたものである。
【００１２】
（５）上記（３）または（４）において、好ましくは、前記親局は、前記衛星通信車載局に前記着信通知を送出する際に、発信元からの通信情報の重要性を識別するための識別情報を、前記衛星通信車載局に対して送出するようにしたものである。
【００１３】
（６）また、上記目的を達成するために、本発明は、通信衛星を介して親局との間で通信を行なうともに、移動可能な衛星通信車載局であって、移動中に、アンテナを常に通信衛星の方向に指向させる衛星追尾手段と、移動中に、親局から送られて着信通知を受信する着信通知検出手段とを備え、移動中の着信通知の受信を可能としたものである。
【００１４】
（７）上記（６）において、好ましくは、前記衛星通信車載局は、移動中は、送信機能を停止させるようにしたものである。
【００１５】
（８）上記（６）において、好ましくは、前記着信通知検出手段が、移動中に前記親局から着信通知を検出すると、運用者に対して着信通知を受信したことを表示する表示手段を備えるようにしたものである。
【００１６】
（９）上記（６）において、好ましくは、前記着信通知検出手段が、移動中に前記親局から着信通知と発信元の識別情報を検出すると、運用者に対して着信通知を受信したことと、受信した識別情報の内容とを表示する表示手段を備えるよにしたものである。
【００１７】
（１０）上記（６）において、好ましくは、前記着信通知検出手段が、移動中に前記親局から着信通知と発信元からの通信情報の重要性を識別する識別情報を検出すると、運用者に対して着信通知を受信したことと、受信した識別情報の内容とを表示する表示手段を備えるよにしたものである。
【００１８】
（１１）上記（６）において、好ましくは、前記衛星通信車載局は、前記親局からの送信を許可する信号を受信した場合にのみ送信を開始することが可能であり、前記親局から送信を許可する信号を受信することで自動的に送信を開始する動作モードと、前記親局から送信を許可する信号を受信しても送信を開始しない動作モードとの、２種類の動作モードを有し、２種類の動作モードの切り替えが可能にしたものである。
【発明の効果】
【００１９】
本発明によれば、移動中でも、親局からの着信の有無を認識できるものとなる。
【発明を実施するための最良の形態】
【００２０】
以下、図１〜図３を用いて、本発明の一実施形態による衛星通信システムおよび衛星通信地球局の構成及び動作について説明する。
【００２１】
図１は、本発明の一実施形態による衛星通信システムの構成を示すシステムブロック図である。図２は、本発明の一実施形態による衛星通信車載局の構成を示すシステムブロック図である。図３は、本発明の一実施形態による衛星通信車載局による着信時の処理を示すシーケンス図である。
【００２２】
図１に示すように、親局３００は、通信衛星４００を介して衛星通信車載局（子局）２００との間で通信を行なう。衛星通信車載局２００と通信をしようとする通信端末５００は、親局３００に対して、着信要求信号を送出する。衛星通信車載局２００は、移動中にはアンテナを常に通信衛星の方向に指向させる機能を有しており、移動中は該衛星通信車載局の送信機能を停止し、受信機能のみを動作させることにより、移動中の着信通知の受信を可能としている。
【００２３】
親局３００は、衛星通信車載局２００の運用状態を常に監視し、通信端末５００から衛星通信車載局２００に対しての着信要求を受信した際に、衛星通信車載局２００が移動中である場合には、通信衛星４００を介して、衛星通信車載局２００に対して着信通知と識別情報を送出する。衛星通信車載局２００は、受信した着信通知と識別情報により、着信があったことと発信元の情報を衛星通信車載局２００の運用者６００の通知することができる。
【００２４】
ここで、通信衛星４００としては、Ｋｕ帯またはＫａ帯の静止通信衛星を用いてる。
【００２５】
図２に示すように、本実施形態による衛星通信車載局の送信系は、変調器２０２と、送信機２０１と、自動衛星追尾手段２０７を備えたアンテナ２０６とから構成される。受信系は、アンテナ２０６と、受信機２０３と、復調器２０４とから構成される。さらに、本実施形態による衛星通信車載局は、移動中でも、親局からの着信の有無を認識するために、送信機制御手段２１０と、着信通知識別情報検出手段２０８とを備えている。
【００２６】
端末装置２０５の出力する送信ディジタルデータは、変調器２０２で変調され、送信機２０１において周波数変換および増幅が行なわれ、アンテナ２０６から送信される。
【００２７】
また、親局から通信衛星を経由した信号は、アンテナ２０６で受信され、受信機２０３により増幅および周波数変換が行なわれ、復調器２０４において受信ディジタルデータが復調され、端末装置２０５に対して出力する。
【００２８】
端末装置２０５は、通信衛星を介した発信要求の送出，着信要求の受信，回線接続制御および双方向の通信を制御する。
【００２９】
衛星通信車載局の停車中には、自動衛星追尾手段２０７により、アンテナ２０６を通信衛星に指向させ、送信機２０１と、変調器２０２と、受信機２０３と、復調器２０４と、端末装置２０５とにより、親局との間で双方向の通信を実現する。
【００３０】
衛星通信車載局の移動中には、受信信号強度および受信信号識別手段２１１の結果から自動衛星追尾手段２０７により、アンテナ２０６が常に通信衛星を指向するように制御を行ない、かつ送信機制御手段２１０により、送信機２０１の機能を停止させる。親局からの着信があった場合には、着信通知識別情報検出手段２０８により、復調器２０４の出力するディジタルデータから自局宛ての着信通知、および発信元の識別情報、情報の重要性の識別情報を検出し、表示手段２０９によって運用者に対して着信の発生を通知する。
【００３１】
なお、衛星通信車載局２００は、親局３００からの送信を許可する信号を受信した場合にのみ送信を開始することが可能なものであり、１）親局３００から送信を許可する信号を受信することで自動的に送信を開始する動作モードと、２）親局３００から送信を許可する信号を受信しても送信を開始しない動作モードとの、２種類の動作モードを有し、２種類の動作モードの切り替えが可能である。
【００３２】
次に、図３を用いて、本実施形態による着信通知のシーケンスについて説明する。
【００３３】
衛星通信車載局と通信をしようとする通信端末は、親局に対して、着信要求信号１０１として発信局ＩＤと情報の重要性識別情報を送出する。親局は、衛星通信車載局の運用状態を監視しており、該衛星通信車載局の送信機能が停止中であると判断した場合に、通信端末に対して着信拒否信号１０２を送出し、通信端末との通信を終了する。
【００３４】
また、親局は、通信端末に対して着信拒否信号１０２を送出した後、衛星通信車載局に対して着信通知信号１０３を送出する。移動中の衛星通信車載局は、着信通知信号１０３を受信し、着信通知識別情報検出手段２０８により、復調器２０４の出力するディジタルデータから自局宛ての着信通知１０３を検出し、表示手段２０９によって運用者に対して着信のあったことを通知する。
【００３５】
また、親局は、着信要求を送出した通信端末を識別するための発信元の発信局ＩＤによる識別情報１０４、発信情報の重要性の識別情報１０５を衛星通信車載局に対して送出する。移動中の衛星通信車載局は、識別情報１０４を受信し、着信通知識別情報検出手段２０８により、復調器２０４の出力するディジタルデータから自局宛ての識別情報１０４を検出し、表示手段２０９によって運用者に対して、発信元の通信端末の識別情報、情報の重要性を、運用者に対して通知する。
【００３６】
以上のようにして、衛星通信車載局が移動中の場合には、親局は衛星通信車載局に対して、着信通知を送出するようにしているので、衛星通信車載局は移動中であっても、着信のあったことを知ることができる。
【００３７】
また、親局は、着信要求を送出する際に、発信元の識別情報を送出することにより、衛星通信車載局において発信元を識別できるようになる。
【図面の簡単な説明】
【００３８】
【図１】本発明の一実施形態による衛星通信システムの構成を示すシステムブロック図である。
【図２】本発明の一実施形態による衛星通信車載局の構成を示すシステムブロック図である。
【図３】本発明の一実施形態による衛星通信車載局による着信時の処理を示すシーケンス図である。
【符号の説明】
【００３９】
２０１…送信機
２０２…変調器
２０３…受信機
２０４…復調器
２０５…端末装置
２０６…アンテナ
２０７…自動衛星追尾手段
２０８…着信通知識別情報検出手段
２０９…表示手段
２１０…送信機制御手段
【図１】
2006287348.tif 000003
【図２】
2006287348.tif 000004
【図３】
2006287348.tif 000005